(57)【要約】【課題】運転者へ提供可能な情報量を確保していても、運転者の運転への集中を妨げ難い表示が可能な車両用の表示装置の提供。【解決手段】表示装置１００は、車両に搭載され、ＨＵＤ６０及びコンビネーションメータ１０を備えている。ＨＵＤ６０は、ウィンドシールド１１０に規定された虚像表示領域１１１に虚像３５を表示させる。表示装置１００は、虚像表示領域１１１の下方向ＤＤに位置するマルチ表示領域１１、及び虚像表示領域１１１の側方に位置する指針表示領域１５のそれぞれに情報を表示する。以上の表示装置１００では、虚像表示領域１１１に虚像３５によって情報が表示されている場合に、指針表示領域１５による情報の表示が中断される。一方、マルチ表示領域１１には、虚像表示領域１１１よりも詳細な情報が表示される。【選択図】図５
2015168267.tif 000002
【特許請求の範囲】
【請求項１】
車両に搭載される車両用表示装置であって、
前記車両の前景を透過する投影部（１１０）に規定された虚像表示領域（１１１，３１１）に表示像を投影することにより、当該表示像の虚像（３５）を前記虚像表示領域に表示させる投影手段（６０）と、
前記虚像表示領域の下方向（ＤＤ）に位置する第一表示領域（１１，２１１）、及び前記第一表示領域の側方に位置する第二表示領域（１５，２１５）、のそれぞれに情報を表示する表示手段（１０，２１０）と、
各前記表示領域に情報が表示されるよう前記投影手段及び前記表示手段を制御し、前記虚像表示領域に前記虚像によって情報が表示されている場合に、前記第二表示領域による情報の表示を中断させ、且つ、前記虚像表示領域よりも詳細な情報を前記第一表示領域に表示させる表示制御手段（２０）と、を備えることを特徴とする車両用表示装置。
【請求項２】
前記表示制御手段は、前記第二表示領域に表示されている情報が前記虚像表示領域に表示されたことに基づいて、前記第二表示領域による情報の表示を中断させることを特徴とする請求項１に記載の車両用表示装置。
【請求項３】
前記表示手段は、前記第二表示領域に配置される指針（１６）を有し、変位する前記指針よって前記第二表示領域に情報を表示し、
前記表示制御手段は、前記第二表示領域による情報の表示を中断させるため、前記指針を予め設定された零位置（Ｐ０）に帰零させることを特徴とする請求項１又は２に記載の車両用表示装置。
【請求項４】
前記表示手段は、前記指針を発光させる指針光源（１６ａ）を有し、
前記表示制御手段は、前記第二表示領域による情報の表示を中断させる場合に、前記指針光源を消灯させた後で、前記零位置への前記指針の帰零を開始させることを特徴とする請求項３に記載の車両用表示装置。
【請求項５】
前記表示手段は、前記第一表示領域に画像（３２）によって情報を表示する表示器（１３）を有することを特徴とする請求項１〜４のいずれか一項に記載の車両用表示装置。
【請求項６】
前記第一表示領域の面積は、前記虚像表示領域の面積よりも広いことを特徴とする請求項１〜５のいずれか一項に記載の車両用表示装置。
【請求項７】
前記表示手段（１０）は、前記第一表示領域（１１）の両側に一対の前記第二表示領域（１５）を形成し、
前記表示制御手段は、前記虚像表示領域に前記虚像によって情報が表示されている場合に、一対の前記第二表示領域による情報の表示を共に中断させることを特徴とする請求項１〜６のいずれか一項に記載の車両用表示装置。
【発明の詳細な説明】
【技術分野】
【０００１】
本発明は、車両に搭載される車両用表示装置に関する。
【背景技術】
【０００２】
従来、車両用の表示装置の一種として、例えば特許文献１に開示の構成は、フロントガラスに虚像を表示するヘッドアップディスプレイの機能を備えている。この表示装置は、フロントガラスに加えて、虚像表示の下方向に位置する指針表示部、及び指針表示部の側方に位置するマルチ表示スクリーンにも、情報を表示できる。この表示装置では、フロントガラスに虚像が表示されている場合、マルチ表示スクリーンによる情報の表示が中断される一方で、指針表示部による情報の表示は継続される。
【先行技術文献】
【特許文献】
【０００３】
【特許文献１】特開平０６−２５５３９８号公報
【発明の概要】
【発明が解決しようとする課題】
【０００４】
さて、特許文献１に開示の構成では、指針表示部に詳細な情報を表示することは困難である。故に、マルチ表示スクリーンによる情報の表示を中断している場合に、運転者へ提供可能な情報量を増やすためには、フロントガラスに表示されている虚像から詳細な情報を把握可能にする必要がある。しかし、運転者に視認され易い位置に表示される虚像が複雑な表示形態となってしまうと、こうした虚像によって運転者の運転への集中が妨げられる虞が生じ得た。
【０００５】
本発明は、以上説明した問題に鑑みてなされたものであって、その目的は、運転者へ提供可能な情報量を確保していても、運転者の運転への集中を妨げ難い表示が可能な車両用表示装置を提供することである。
【課題を解決するための手段】
【０００６】
上記目的を達成するために、第１の発明は、車両に搭載される車両用表示装置であって、車両の前景を透過する投影部（１１０）に規定された虚像表示領域（１１１，３１１）に表示像を投影することにより、当該表示像の虚像（３５）を虚像表示領域に表示させる投影手段（６０）と、虚像表示領域の下方向（ＤＤ）に位置する第一表示領域（１１，２１１）、及び第一表示領域の側方に位置する第二表示領域（１５，２１５）、のそれぞれに情報を表示する表示手段（１０，２１０）と、各表示領域に情報が表示されるよう投影手段及び表示手段を制御し、虚像表示領域に虚像によって情報が表示されている場合に、第二表示領域による情報の表示を中断させ、且つ、虚像表示領域よりも詳細な情報を第一表示領域に表示させる表示制御手段（２０）と、を備える車両用表示装置とする。
【０００７】
この発明では、虚像表示領域よりも詳細な情報が第一表示領域に表示されるため、車両の前景に重ねられる虚像は、少ない情報を簡潔に通知する表示となり得る。その結果、運転者に視認され易い虚像が複雑な表示形態となることで、運転者の運転への集中を妨げてしまう事態は、回避され得る。
【０００８】
加えて、第二表示領域による情報の表示が中断されることにより、情報の表示は、上下に並ぶ虚像表示領域及び第一表示領域に集約され得る。そのため運転者は、上下方向の視線移動という単純な動作で第一表示領域の表示から詳細な情報を把握できるようになる。故に、詳細情報を取得する動作が行われた場合でも、運転への集中は、維持され易くなる。
【０００９】
したがって、車両用表示装置による表示は、運転者へ提供可能な情報量を確保していても、運転者の運転への集中を妨げ難い表示となる。
【００１０】
尚、上記括弧内の参照番号は、本発明の理解を容易にすべく、後述する実施形態における具体的な構成との対応関係の一例を示すものにすぎず、本発明の範囲を何ら制限するものではない。
【図面の簡単な説明】
【００１１】
【図１】本発明の一実施形態による表示装置によって運転席まわりに形成される複数の表示領域の配置を示す図である。
【図２】表示装置が備えるコンビネーションメータ、ＨＵＤ、及び発光部について、それぞれの配置と機械的構成を示す図である。
【図３】表示装置の電気的構成を示すブロック図である。
【図４】マルチ表示領域及び虚像表示領域の各表示の詳細を説明するための図である。
【図５】ＨＵＤによる虚像表示をオン状態に切り替える操作が入力された場合の表示装置の作動を順に示す図である。
【図６】制御部により実施される処理を示すフローチャートである。
【図７】表示装置の変形例１を示す図である。
【発明を実施するための形態】
【００１２】
図１に示す本発明の一実施形態による表示装置１００は、車両に搭載されており、コンビネーションメータ１０、ヘッドアップディスプレイ（以下「ＨＵＤ」）６０、及び発光部８０等を組み合わせることによって構成されている。図１及び図２に示すように、表示装置１００は、例えば走行速度等、車両に係わる種々の情報を複数の表示領域のそれぞれに表示する。尚、以下の説明では、静止状態にある車両において重力に沿う方向を下方向ＤＤとし、下方向ＤＤとは反対の方向を上方向ＵＤとする。
【００１３】
コンビネーションメータ１０は、複数の表示領域が形成された正面側を運転席に向けた姿勢にて、インスツルメントパネル１２０に形成された空間１２２内に収容されている。インスツルメントパネル１２０は、車両において、ウィンドシールド１１０の下方向ＤＤに設置されている。インスツルメントパネル１２０には、上方向ＵＤに突き出したフード部１２１が形成されている。空間１２２は、フード部１２１によって区画されており、運転席の前方向に形成されている。コンビネーションメータ１０は、フード部１２１の下方向ＤＤに位置し、マルチ表示領域１１、二つの指針表示領域１５、及び複数のインジケータ１８を形成している。
【００１４】
マルチ表示領域１１は、コンビネーションメータ１０の中央に配置されている。マルチ表示領域１１は、表示画面１２に映し出される種々の画像３２によって情報を表示する。二つの指針表示領域１５は、マルチ表示領域１１の側方に位置し、マルチ表示領域１１の幅方向ＷＤにおける両側に配置されている。各指針表示領域１５は、変位（回転）する指針１６によって情報を表示する。複数のインジケータ１８は、コンビネーションメータ１０の正面側において、マルチ表示領域１１及び指針表示領域１５を除く領域に主に形成されている。各インジケータ１８は、文字及び記号等のアイコンを発光表示させることにより、車両に関する種々の警告を視認者に対し行う。
【００１５】
ＨＵＤ６０は、凹面鏡等によって構成される光学系６４、虚像３５として表示される表示像の光を射出するプロジェクタ６１、並びに光学系６４及びプロジェクタ６１を収容する筐体６５を備えている。ＨＵＤ６０は、コンビネーションメータ１０よりも車両の前方向に配置され、インスツルメントパネル１２０内に収容されている。
【００１６】
ＨＵＤ６０は、プロジェクタ６１から射出された表示像の光を光学系６４によって反射させ、ウィンドシールド１１０内に規定された虚像表示領域１１１に向けて投影する。虚像表示領域１１１は、車両の前景を透過するウィンドシールド１１０のうちで、フード部１２１の上方向ＵＤに規定されている。運転席に着座する運転者（視認者）の見かけ上において、虚像表示領域１１１は、下方向ＤＤに位置するマルチ表示領域１１と、幅方向ＷＤの中央位置を揃えられている。運転席に着座する視認者は、虚像表示領域１１１によって車室内側に反射された光を知覚することにより、虚像表示領域１１１を通して、車両の前景に重ねられた虚像３５を視認可能となる。
【００１７】
ＨＵＤ６０は、枠表示器６６をさらに有している。枠表示器６６は、筐体６５に形成された開口６５ａの周囲に設けられている。開口６５ａは、矩形状に形成されており、無色透明の防塵カバー７０によって塞がれている。光学系６４からウィンドシールド１１０に向かう表示像の光は、防塵カバー７０を透過することにより、開口６５ａを通過する。
【００１８】
枠表示器６６は、複数（四つ）の導光部６７及び枠表示光源６９（図３参照）等によって構成されている。導光部６７は、開口６５ａの四隅を囲むように配置されている。導光部６７の頂面には、ウィンドシールド１１０と対向する射出面６７ａが形成されている。枠表示光源６９は、導光部６７に光を入射させる。枠表示光源６９によって放射され、導光部６７に入射した光は、射出面６７ａからウィンドシールド１１０に向けて、上方向ＵＤに射出される。以上により、虚像表示領域１１１には、枠状の確定通知枠３５ｅ（図４参照）が虚像３５として映し出される。確定通知枠３５ｅは、プロジェクタ６１によって映し出される他の虚像３５（後述するシフトインジケータ３５ａ等）よりもウィンドシールド１１０に近い位置に結像される。
【００１９】
発光部８０は、二つの線状発光ユニット８１を有している。各線状発光ユニット８１は、車両の前後方向に沿って棒状に延伸する長手形状に形成されている。二つの線状発光ユニット８１は、車両の幅方向ＷＤにおいて互いに間隔を開けた配置にて、フード部１２１に取り付けられている。線状発光ユニット８１は、ウィンドシールド１１０及び運転席に向けて、発光面８１ａから光を放出する。こうして上方向ＵＤに向けて射出された光の一部は、ウィンドシールド１１０のうちで虚像表示領域１１１よりも上方向ＵＤの領域（以下「反射表示領域」）１１２にて、運転席側に反射される。そのため、二つの線状発光ユニット８１の反射像３６が、反射表示領域１１２に表示される（図４も参照）。
【００２０】
次に、図３に示す表示装置１００の電気的構成を、コンビネーションメータ１０、ＨＵＤ６０、及び発光部８０のそれぞれについて、順に説明する。
【００２１】
コンビネーションメータ１０は、液晶表示器１３及びバックライト１４、二つのステッパーモータ１７、複数の指針光源１６ａ及び文字板光源１６ｂ、複数のインジケータ光源１９、並びに制御部２０を有している。
【００２２】
液晶表示器１３は、例えば薄膜トランジスタを用いたThin Film Transistor（ＴＦＴ）方式の表示器である。液晶表示器１３は、表示画面１２に沿って二次元に配列された複数の画素を有している。液晶表示器１３は、制御部２０に接続されており、制御部２０から出力される制御信号に基づいて各画素を駆動する。液晶表示器１３の表示画面１２には、マルチ表示領域１１にカラー表示される種々の画像が形成される。バックライト１４は、複数の発光ダイオード（以下「ＬＥＤ」）等の光源によって、表示画面１２の画像を透過照明する。バックライト１４は、制御部２０と接続されており、制御部２０から出力される制御信号によって照明の輝度を制御される。
【００２３】
ステッパーモータ１７は、指針１６を駆動する電動機である。ステッパーモータ１７は、制御部２０と接続されており、制御部２０から出力される制御信号に基づいて指針１６を回転させる。指針光源１６ａ及び文字板光源１６ｂは、例えばＬＥＤ等の発光素子であって、それぞれ制御部２０と接続されている。指針光源１６ａは、制御部２０から出力される制御信号に基づいて、各指針１６を発光表示させるための光を放出する。文字板光源１６ｂは、制御部２０から出力される制御信号に基づいて、文字板に形成された目盛及び数値等を発光表示させるための光を放出する。
【００２４】
インジケータ光源１９は、例えばＬＥＤ等である。各インジケータ光源１９は、それぞれ制御部２０と接続されており、制御部２０から出力される制御信号に基づいて、各インジケータ１８を発光表示させるための光を放出する。
【００２５】
制御部２０は、プログラムによって作動するマイクロコンピュータ、車内Local Area Network（ＬＡＮ）１４０との間で通信を行うインターフェース、並びに液晶表示器１３、ステッパーモータ１７、及び各光源等を駆動する駆動回路等によって構成されている。車内ＬＡＮ１４０には、車両に搭載された複数の車載機器１５０に加えて、ステアリングスイッチ１３０等が接続されている。制御部２０は、車内ＬＡＮ１４０に出力された車両の情報を取得し、取得した情報に基づく制御信号を液晶表示器１３、ステッパーモータ１７、及び各光源等に出力する。
【００２６】
ＨＵＤ６０のプロジェクタ６１は、液晶表示器６２及び投影光源６３を有している。液晶表示器６２は、例えばＴＦＴ方式の表示器である。液晶表示器６２は、制御部２０に接続されており、制御部２０から出力される制御信号に基づいて各画素を駆動する。液晶表示器６２には、虚像表示領域１１１（図２参照）にカラー表示される種々の画像が形成される。投影光源６３は、例えば高輝度なＬＥＤを複数有している。投影光源６３は、制御部２０と接続されており、制御部２０から出力される制御信号に基づき、虚像３５（図２参照）として結像される光を、液晶表示器６２に向けて放出する。
【００２７】
ＨＵＤ６０の枠表示器６６は、複数の枠表示光源６９を有している。枠表示光源６９は、例えばＬＥＤ等であって、青色等の有彩色の光を放出する。各枠表示光源６９は、それぞれ制御部２０と接続されており、制御部２０から出力される制御信号に基づいて発光する。各枠表示光源６９の発光タイミングは、互いに同期している。
【００２８】
発光部８０の線状発光ユニット８１は、点光源としての複数の連係線光源８９を有している。連係線光源８９は、例えばＬＥＤ等であって、青色等の有彩色の光を放出する。本実施形態では、連係線光源８９の発光色は、枠表示光源６９の発光色と合わせられている。各連係線光源８９は、それぞれ制御部２０と接続されており、制御部２０から出力される制御信号に基づいて、個別に発光する。
【００２９】
次に、マルチ表示領域１１、虚像表示領域１１１、及び指針表示領域１５に形成される各表示の構成を、図４を用いてさらに詳しく説明する。尚、表示装置１００（図３参照）は、表示モードを複数のうちで切り替えることができる。こうした表示モードの切り替え操作は、車両のステアリングに設けられたステアリングスイッチ１３０（図３参照）への入力によって行われる。以下に説明では、代表的な一つの表示モードでの各表示構成が示されている。
【００３０】
マルチ表示領域１１に描画される画像３２には、エコゲージ３２ｃ、車両モデル４２、背景画像３２ｆ、エコウォレット３２ｇ、燃料計３２ｈ、及びオドメータ３２ｉが含まれている。このように、マルチ表示領域１１には、虚像表示領域１１１よりも詳細な車両情報が表示される。加えて、多数の車両情報を表示するため、マルチ表示領域１１の面積は、虚像表示領域１１１の面積よりも広くされている。
【００３１】
エコゲージ３２ｃは、車載機器１５０（図３参照）から出力された車両情報、具体的には、燃費効率の程度をアナログ表示する。燃費効率は、車両に搭載された走行用機関の消費燃料量、並びに車両の速度及び加速度等に基づいて、制御部２０（図３参照）又はいずれかの車載機器１５０によって算出される。エコゲージ３２ｃは、車両モデル４２まわりに部分円環状に延びるバー状の画像部によって、エコ運転の実施状況を可視化している。燃費効率が良くなるほど、エコゲージ３２ｃは、車両モデル４２の左後方へ向けて反時計回りに延伸する。
【００３２】
車両モデル４２は、表示装置１００（図１参照）を搭載する車両の外観形状を模って作成されている。マルチ表示領域１１には、車両モデル４２を後方から俯瞰視した画像が表示される。車両モデル４２の前後方向は、実際の車両の前後方向に沿うように規定されている。車両モデル４２は、マルチ表示領域１１の中央に配置され、背景画像３２ｆに重畳されている。
【００３３】
背景画像３２ｆは、マルチ表示領域１１において、エコゲージ３２ｃ及び車両モデル４２の背景となる画像である。背景画像３２ｆは、上下方向に沿って帯状に延伸する路面画像部３２ｗを有している。路面画像部３２ｗは、車両モデル４２の走行する車道を模した画像部である。路面画像部３２ｗの幅方向ＷＤの両側には、一対の境界線３２ｒが形成されており、車両モデル４２は、これら二つの境界線３２ｒの中間に配置されている。
【００３４】
エコウォレット３２ｇは、エコ運転の実施によって節約された燃料費用を金額によって示している。燃料計３２ｈは、燃料タンク内の燃料残量を示している。オドメータ３２ｉは、車両の走行距離の累積値を示している。
【００３５】
虚像表示領域１１１に映し出される虚像３５には、シフトインジケータ３５ａ、デジタルスピードメータ３５ｂ、項目表示３５ｔ、及び確定通知枠３５ｅが含まれている。シフトインジケータ３５ａは、車両に設けられたシフトレバーの現在の位置を示している。デジタルスピードメータ３５ｂは、車両の現在の走行速度を示している。デジタルスピードメータ３５ｂは、幅方向ＷＤにおいてシフトインジケータ３５ａと並べられている。
【００３６】
項目表示３５ｔは、マルチ表示領域１１に表示されている項目を、文字によって示している。エコ表示モードでは、エコゲージ３２ｃに表示される車両情報、即ち燃費効率の見出しとなる項目名として、「ＥＣＯ  Ｂａｒ」という文字を表示する。項目表示３５ｔは、虚像表示領域１１１において、デジタルスピードメータ３５ｂの下方向ＤＤに配置されている。項目表示３５ｔとして表示される文字は、マルチ表示領域１１に表示される車両情報の変更に伴って、切り替えられる。
【００３７】
確定通知枠３５ｅは、視認者からの見かけ上において、シフトインジケータ３５ａ及びデジタルスピードメータ３５ｂ等の外周側に結像される。確定通知枠３５ｅは、虚像表示領域１１１の四隅に配置されたＬ字状の表示像によって他の表示像を囲む途切れた枠状とされている。確定通知枠３５ｅは、例えば決定キー１３２（図３参照）に押圧操作が入力された場合に１秒程度点灯する。尚、確定通知枠３５ｅの点灯時間は、適宜変更可能である。
【００３８】
二つの指針表示領域１５のうち、マルチ表示領域１１の左側に位置する一方には、シフトインジケータ３９ａ及びアナログスピードメータ３９ｂが形成されている。また、マルチ表示領域１１の右側に位置する指針表示領域１５には、タコメータ３９ｃが形成されている。
【００３９】
シフトインジケータ３９ａは、虚像表示領域１１１のシフトインジケータ３５ａと同様に、シフトレバーの現在の位置を示している。アナログスピードメータ３９ｂは、左側の指針表示領域１５に配置された指針１６と、この指針１６の回転軌道に沿って配列された目盛及び数値等とによって形成されている。アナログスピードメータ３９ｂは、指針１６の回転変位により、車両の走行速度を示している。タコメータ３９ｃは、右側の指針表示領域１５に配置された指針１６と、この指針１６の回転軌道に沿って配列された目盛及び数値等とによって形成されている。タコメータ３９ｃは、指針１６の回転変位により、走行用機関の出力軸の回転速度を示している。
【００４０】
以上の表示装置１００では、虚像表示領域１１１に虚像３５によって情報が表示されている場合に、指針表示領域１５による情報の表示が中断される。図５Ａ〜図５Ｃには、虚像表示領域１１１の表示をオン状態とする視認者の操作に連動して、指針表示領域１５の表示がオフ状態とされる場合の表示の変更過程が示されている。以下、その変更過程の詳細を、順に説明する。
【００４１】
視認者がステアリングスイッチ１３０（図３参照）の操作によって虚像表示領域１１１の表示をオン状態にすると、図５Ａに示すように、二つの線状発光ユニット８１に、発光スポット３８が表示される。加えて反射表示領域１１２には、発光スポット３８の反射像３６が表示される。
【００４２】
図５Ａ及び図５Ｂに示すように、各発光スポット３８は、視認者の見かけ上において、虚像表示領域１１１へ向かって上方向ＵＤに移動する。一方で、各反射像３６は、虚像表示領域１１１へ向かって、下方向ＤＤに移動する。発光スポット３８及び反射像３６の動きは、線状に発光表示される連係線として視認者に知覚される。各発光スポット３８は、虚像表示領域１１１に近い発光面８１ａの端部へ到達することによって消失する。
【００４３】
各線状発光ユニット８１の発光が終了すると、図５Ｂに示すように、虚像表示領域１１１にシフトインジケータ３５ａ、デジタルスピードメータ３５ｂ、及び項目表示３５ｔが表示される。視認者の操作を反映した表示が虚像表示領域１１１に完成すると、確定通知枠３５ｅが一時的に点灯表示される。
【００４４】
シフトレバーの位置情報（以下「シフト位置情報」）及び車両の走行速度情報（以下「車速情報」）が虚像表示領域１１１からも把握可能となると、図５Ｃに示すように、指針表示領域１５による情報の表示が中断される。このとき、まず指針光源１６ａ（図３参照）及び文字板光源１６ｂ（図３参照）の発光が中止されることにより、各指針１６並びに目盛及び数値が消灯される。次に、予め設定された零位置Ｐ０への各指針１６の帰零が開始される。以上により、車両情報の表示が、上下に並ぶマルチ表示領域１１及び虚像表示領域１１１に集約される。
【００４５】
以上説明した表示レイアウトの変更を実現するために、制御部２０にて実施される変更処理を、図６に基づき、図３を参照しつつて説明する。図６に示す変更処理は、虚像表示領域１１１の表示をオン状態にする操作がステアリングスイッチ１３０等に入力されたことに基づいて、制御部２０により開始される。
【００４６】
Ｓ１０１では、発光部８０を発光させる発光処理を開始し、Ｓ１０２に進む。このＳ１０１の処理により、発光スポット３８及びその反射像３６が表示され、虚像表示領域１１１へ向かって流れる（図５Ａ及び図５Ｂ参照）。
【００４７】
Ｓ１０２では、虚像表示領域１１１に虚像３５が表示されるよう、プロジェクタ６１を起動させる起動処理を開始し、Ｓ１０３に進む。このＳ１０２の処理により、虚像表示領域１１１に、シフトインジケータ３５ａ等が表示される（図５Ｂ参照）。
【００４８】
Ｓ１０３では、Ｓ１０２にて開始した起動処理が完了したか否かを判定する。Ｓ１０３にて否定判定をした場合には、Ｓ１０３の判定を繰り返すことにより、起動処理の完了を待つ。そして、起動処理が完了し、Ｓ１０３にて肯定判定がなされると、Ｓ１０４に進む。
【００４９】
Ｓ１０４では、確定通知枠３５ｅの点灯処理を実施し、Ｓ１０５に進む。Ｓ１０４の処理により、虚像表示領域１１１に確定通知枠３５ｅが一時的に表示され、虚像表示領域１１１の表示レイアウトの確定が視認者に通知される（図５Ｂ参照）。
【００５０】
Ｓ１０５では、指針光源１６ａ及び文字板光源１６ｂを消灯させ、Ｓ１０６に進む。Ｓ１０５によって、二つの指針表示領域１５による情報の表示は、視認者から視認できなくなる。そしてＳ１０６では、各指針１６がそれぞれの零位置Ｐ０に帰零するよう、各ステッパーモータ１７を制御し、変更処理を終了する。以上により、二つの指針表示領域１５による情報の表示がオフ状態となる（図５Ｃ参照）。
【００５１】
ここまで説明した本実施形態では、エコゲージ３２ｃ及びオドメータ等の詳細な車両情報は、マルチ表示領域１１に表示される。そのため虚像３５は、シフト位置情報及び車速情報等を簡潔に通知する表示となる。その結果、視認され易い虚像３５が複雑な表示形態となることで視認者（運転者）の運転への集中を妨げてしまう事態は、回避され得る。
【００５２】
加えて、指針表示領域１５による指針表示が中断されることにより、表示装置１００による情報の表示は、上下に並ぶ二つの表示領域１１，１１１に集約される。そのため運転者は、上下方向の視線移動という単純な動作でマルチ表示領域１１の表示から詳細な情報を把握できるようになる。故に、詳細情報を取得する動作が行われた場合でも、運転への集中は、維持され易くなる。
【００５３】
したがって、表示装置１００による表示は、運転者へ提供可能な情報量を確保していても、運転者の運転への集中を妨げ難い表示となる。
【００５４】
加えて本実施形態では、シフトインジケータ３９ａ及びアナログスピードメータ３９ｂによって提供されている各車両情報が、シフトインジケータ３５ａ及びデジタルスピードメータ３５ｂからも提供されるようになった後で、指針表示領域１５の表示は中断される。このように、指針表示領域１５によって提示されていた車両情報を、虚像表示領域１１１へ移動させれば、指針表示の中断に伴った提供可能な情報量の減少は、抑制可能となる。
【００５５】
また本実施形態のように、指針表示を行う指針表示領域１５は、通知可能な情報量に対して面積が広く、且つ、目立ち易い。このような目立ち易い指針表示領域１５の表示が見かけ上で消えることによれば、運転者の視線は、多数の情報を小さな面積に集約して表示するマルチ表示領域１１へと、自然と向くようになる。そのため、コンビネーションメータ１０からの詳細な情報把握は、いっそう容易となる。加えて、指針表示の中断に伴った提供可能な情報量の減少は、他の表示領域によって容易に補い得る。したがって、表示を中断される表示領域としては、マルチ表示領域１１よりも指針表示領域１５が好適なのである。
【００５６】
さらに本実施形態では、指針１６の帰零が、指針光源１６ａ及び文字板光源１６ｂの消灯後に実施される。こうした制御によれば、指針１６を帰零させる作動は、運転者にとって知覚困難となる。そのため、帰零途中の指針１６を視認した運転者が誤った指針表示を読み取ってしまう事態は、回避される。
【００５７】
加えて本実施形態のマルチ表示領域１１における情報の表示は、液晶表示器１３によって行われる。こうした構成であれば、マルチ表示領域１１は、多くの情報を小さい面積に集約して表示できる。その結果、多数の詳細な情報が表示されても、運転者は、マルチ表示領域１１内にて視線を彷徨わせることなく、速やかに所望する詳細情報を把握できる。
【００５８】
また本実施形態によれば、マルチ表示領域１１の面積が虚像表示領域１１１の面積よりも広く確保されているため、マルチ表示領域１１に多くの情報を集約することが可能となる。そのため、虚像表示領域１１１の虚像３５は、いっそう簡潔な表示となり得る。こうした簡潔な虚像表示を用いることで、運転者の運転への集中をさらに妨げ難い運転環境を作り出すことができる。
【００５９】
さらに本実施形態では、表示面積の広い二つの指針表示領域１５による表示が共に中断されるため、コンビネーションメータ１０の正面側のうちの大半が、情報を表示しない状態となる。その結果、中央のマルチ表示領域１１がいっそう際立つようになるので、運転者の視線は、マルチ表示領域１１に誘導され易くなる。以上によれば、マルチ表示領域１１からの詳細な情報把握がいっそう容易となるため、運転者は、詳細情報を取得する動作を行った場合でも、運転への集中を確実に維持し続けることができる。
【００６０】
尚、本実施形態において、コンビネーションメータ１０が特許請求の範囲に記載の「表示手段」に相当し、マルチ表示領域１１が特許請求の範囲に記載の「第一表示領域」に相当し、液晶表示器１３が特許請求の範囲に記載の「表示器」に相当する。また、指針表示領域１５が特許請求の範囲に記載の「第二表示領域」に相当し、制御部２０が特許請求の範囲に記載の「表示制御手段」に相当し、ＨＵＤ６０が特許請求の範囲に記載の「投影手段」する。さらに、表示装置１００が特許請求の範囲に記載の「車両用表示装置」に相当し、ウィンドシールド１１０が特許請求の範囲に記載の「投影部」に相当する。
【００６１】
（他の実施形態）
以上、本発明による一実施形態について説明したが、本発明は、上記実施形態に限定して解釈されるものではなく、本発明の要旨を逸脱しない範囲内において種々の実施形態及び組み合わせに適用することができる。
【００６２】
上記実施形態の変形例１では、図７に示すように、運転席まわりに形成される複数の表示領域の配置が異なっている。具体的に、虚像表示領域３１１は、運転席の正面からウィンドシールド１１０の幅方向ＷＤの中央に寄せた位置に規定されている。マルチ表示領域２１１は、コンビネーションメータ２１０の正面において、中央から右側（助手席側）の領域に形成されており、運転者の見かけ上にて虚像表示領域３１１の下方向ＤＤに位置している。指針表示領域２１５は、マルチ表示領域２１１の左側方に位置している。
【００６３】
この変形例１でも、虚像表示領域３１１に虚像３５によって情報が表示されている場合には、指針表示領域２１５による情報の表示が中断される。具体的には、指針１６が零位置Ｐ０に帰零すると共に、シフトインジケータ３９ａ及び水温計３９ｄ等の各表示が消される。一方で、マルチ表示領域２１１による詳細情報の表示は、虚像表示領域３１１による情報表示が行われている場合でも、継続される。このとき、マルチ表示領域２１１には、虚像表示領域３１１よりも多くの車両情報が詳細に表示される。
【００６４】
以上の変形例１のように、虚像表示領域３１１及びマルチ表示領域２１１は、上下方向において部分的に重なっていれば、互いの中心位置が幅方向ＷＤにずれていてもよい。加えて指針表示領域２１５は、マルチ表示領域２１１の片側だけに形成されていてもよい。或いは、マルチ表示領域の片側に複数の指針表示領域が形成されていてもよい。尚、変形例１では、コンビネーションメータ２１０が特許請求の範囲に記載の「表示手段」に相当し、マルチ表示領域２１１が特許請求の範囲に記載の「第一表示領域」に相当し、指針表示領域２１５が特許請求の範囲に記載の「第二表示領域」に相当する。
【００６５】
上記実施形態では、マルチ表示領域及び指針表示領域のうちで、指針表示領域の表示が中断されていた。しかし、虚像表示領域の下方向ＤＤに配置された指針表示領域の表示が継続され、指針表示領域の側方に配置されたマルチ表示領域の表示が中断されてもよい。又は、複数の指針表示領域のうちで、特定の指針表示領域の表示が継続され、他の指針表示領域の表示が中断されてもよい。
【００６６】
上記実施形態では、指針表示領域の表示が中断される以前に、シフトインジケータ及びスピードメータが、指針表示領域から虚像表示領域へと移されていた。このように、指針表示領域の情報表示を移動させる移動先は、虚像表示領域でなくてもよく、マルチ表示領域であってもよい。
【００６７】
上記実施形態において、マルチ表示領域は、虚像表示領域より広く規定されていた。しかし、マルチ表示領域は、虚像表示領域より狭くてもよい。また上記実施形態では、指針表示領域の面積の総和は、マルチ表示領域の面積よりも大きく確保されていたが、これらの面積の大小関係も、適宜変更可能である。
【００６８】
上記実施形態において、指針表示領域の表示を中断する場合、指針光源及び文字板光源を消灯させる処理の後で、指針を帰零させる制御が実施されていた。しかし、これらの処理の順序は、適宜変更可能である。加えて、指針光源及び文字板光源の消灯によって指針表示領域が視認困難となるのであれば、消灯処理のみの実施とされ、指針を帰零させる処理は、実施されなくてもよい。
【００６９】
上記実施形態では、ステアリングスイッチの操作によってＨＵＤによる虚像表示のオン及びオフが切り替え可能とされていた。しかし、こうした操作が入力される構成は、ステアリングスイッチに限定されず、例えばセンターコンソールに設けられるジョイスティック及びタッチパネル等であってもよい。
【００７０】
上記実施形態では、表示像が投影される「投影部」として、車両のウィンドシールドが用いられていたが、「投影部」は、ウィンドシールドに限定されない。例えば、透光性樹脂により板状に形成され、インスツルメントパネル上面又はウィンドシールドの車室内側に取り付けられたコンバイナが、「投影部」に相当する構成として設置されていてもよい。
【００７１】
上記実施形態のプロジェクタは、ＴＦＴ方式の液晶表示器と投影光源を組み合わせた構成であった。しかし、表示像を投影するための構成は、適宜変更可能である。例えば、ＴＦＴ方式以外の液晶表示器が採用可能である。さらに、ＤＬＰ（Digital Light Processing：登録商標）プロジェクタやＣＲＴプロジェクタ等により、表示像が投影されてもよい。さらに、ＭＥＭＳ（Micro Electro Mechanical Systems）を用いたレーザスキャナが、表示像を投影する構成として、「投影手段」に含まれていてもよい。
【００７２】
上記実施形態において、プログラムを実行した制御部により提供されていた「表示制御手段」の機能は、上述の構成と異なるハードウェア及びソフトウェア、或いはこれらの組み合わせによって提供されてよい。例えば、コンビネーションメータ及びＨＵＤにそれぞれ設けられた制御部の連係によって上述の機能が提供されてよい。さらに、プログラムによらないで所定の機能を果たす回路により、各表示領域に情報が表示されるようＨＵＤ及びコンビネーションメータを制御する「表示制御手段」の機能が提供されてよい。
【符号の説明】
【００７３】
ＤＤ  下方向、Ｐ０  零位置、１０，２１０  コンビネーションメータ（表示手段）、１１，２１１  マルチ表示領域（第一表示領域）、１３  液晶表示器（表示器）、１５，２１５  指針表示領域（第二表示領域）、１６  指針、１６ａ  指針光源、２０  制御部（表示制御手段）、３２  画像、３５  虚像、６０  ＨＵＤ（投影手段）、１００  表示装置（車両用表示装置）、１１０  ウィンドシールド（投影部）、１１１，３１１  虚像表示領域
【図１】
2015168267.tif 000003
【図２】
2015168267.tif 000004
【図３】
2015168267.tif 000005
【図４】
2015168267.tif 000006
【図５】
2015168267.tif 000007
【図６】
2015168267.tif 000008
【図７】
2015168267.tif 000009